(57)【要約】【課題】消臭性と抗菌性に優れ安全で安価なシート材を提供する。【解決手段】弱酸性次亜塩素酸ソーダが水に対し２００乃至３００ｐｐｍで希釈されたうえ、微粒で吸着容量の大きな吸着保持剤と、水溶性で塗着性を有する塗着保持剤が０．１乃至０．３％重量で混合された消臭抗菌成分が塗着されてなるシート材。【選択図】図２
2017172094.tif 000002
【特許請求の範囲】
【請求項１】
弱酸性次亜塩素酸ソーダーを水に２００乃至３００ｐｐｍの濃度に希釈させてなる弱酸性次亜塩素酸水に、微粒で吸着容量の大きな吸着保持剤及び水溶性と塗着性を保持する塗着保持剤が０．１乃至０．３％重量割合で混合されてなる消臭抗菌成分が、基材に塗着されてなるシート材。
【請求項２】
吸着保持剤がカルボキシビニルポリマー若しくはモンモリナイトかバーミュキュライトからなる請求項１記載のシート材。
【請求項３】
塗着保持剤がメチルセルロース若しくはアクリルセルロースからなる請求項１乃至請求項２記載のシート材。
【請求項４】
シート基材が合成繊維織物若しくは不織布、或いは薄葉紙からなる請求項１乃至３記載のシート材。
【発明の詳細な説明】
【技術分野】
【０００１】  本発明は消臭性並びに抗菌性と安全性に優れる身体障害者や知的障害者若しくは精神障害者等比較的体力も脆弱な要介護者の在宅介護や訪問介護に際して、発汗や唾液或いは失禁等における臭気並びに病菌や細菌の繁殖を防止し、要介護者に安全で快適な介護環境を提供しえるシート材に関する。
【背景技術】
【０００２】  我が国の生活用品に係る消臭性や抗菌性においては、昭和７０年乃至８０年に亘るデオドラントブームによって、先づ消臭防臭思考が先行し、商品名としてエアーシァルダン、サワデー、オドイーター等が展開され、更には昭和８０年乃至９０年頃には衣類の抗菌化が提案され、抗菌剤としてクロルヘキシジン、ビグアナイド、第４級アンモニウム、バクテキラー、クラビオン等が使用されたものの、その安全性を評価するため、繊維製品新機能評価協議会ＪＡＦＥＴでは自主基準に合致した製品にＳＥＫマークを付けることに至っている。そして留意すべきは該ＳＥＫマークの基準でも、生後２４ヶ月以内の乳幼児には直接触れる使用を、安全性の面から制限していることにある。【０００３】  そしてかかる抗菌剤の危険に相当する抗菌剤として、削除されているものとして有機系では第４級アンモニウム、エーテル系、ビグアナイト系、アルデヒド系、カルボン酸系、エステル系、ハロゲン系、ピリジン系が、無機系では銀ゼオライト、抗菌ステンレスが、更に天然系としてのカテキン、キトサン、ヒノキチオール等が挙げられるが、有機系では抗菌性に優れるものの依然として危険であり無機系では対象用途により好適乍ら高価であり、且天然系では顕著な効果が期待されない。
このような経緯からより安全性の高い消臭剤や抗菌剤として毒物や劇物取締法に適合せず、且消防法にも該当せぬ次亜塩素酸ナトリウム、電解水及び弱酸性次亜塩素酸水が提案されるに至った。【０００４】  而してかかる毒物や劇物取締法や消防法に該当せぬものであっても、それぞれの消臭性や抗菌性には大きな較差が潜んでおり、反面本発明の使用目的は体力的に脆弱な要介護者であるから、これら次亜塩素酸ナトリウムと電解水及び弱酸性次亜塩素酸水について消臭性や抗菌性の安全性の確認のため対比検討してみると表１の通りである。【０００５】
【表１】
2017172094.tif 000003
【０００６】  前記対比検討の結果からも弱酸性次亜塩素酸水は抗菌性や消臭性とともに、安全性も極めて優れていることが理解され、これがため体力的に脆弱な要介護者のためのシーツや包布、或いは介護空間内の消臭や抗菌等の環境浄化シート等にも、極めて好適と考えられる。
ところでかかる弱酸性次亜塩素酸水は水溶液状の物であるから、このままでは臭気や病菌、細菌を除去する限定された環境内での噴霧手段となり、短時の抗菌、消臭のみとなる。【０００７】  而して本発明の主要な目的の一つは、体力的に脆弱で在宅介護や訪問介護を受けている膨大数の要介護者が休養し、且比較的密閉性の高い室内での、要介護者の長時に亘る発汗や唾液或いは失禁等により発生し拡散する多様な臭気や病菌細菌の消臭抗菌を図るためのシーツや包布或いは展張シート等として提供することにある。
従って、これらを形成するうえからは、この消臭性と抗菌性並びに安全性に優れる弱酸性次亜塩素酸水の噴霧揮散を抑制させるための吸着保持と、且噴霧塗着若しくは浸漬塗着可能な塗着成分とからなる吸着塗着材とを混合せしめることにより、織物や不織布或いは薄葉紙等のシート基材に噴霧塗着若しくは浸漬塗着により、広範囲の消臭性並びに抗菌性製品が形成しえることに想到し本発明は至った。
【発明の概容】
【発明が解決しようとする課題】
【０００８】  本発明は体力的に脆弱な要介護者が休養する住居区画内に充満し繁殖する臭気や病菌細菌等を安全且確実に消臭抗菌し、快適な環境に維持することの可能なシート材の提供にある。
【課題を解決するための手段】
【０００９】  上述の課題を解決するために本発明が採用した技術的手段は、体力的に脆弱な要介護者に、安全且優れた消臭性と抗菌性を発揮させるため、その濃度が２００乃至３００ｐｐｍの弱酸性次亜塩素酸水を消臭抗菌成分となし、且この消臭は抗菌成分が揮散滅失されぬよう消臭抗菌成分に対して０．１乃至０．３％重量で、カルボキシビニルポリマー、若しくはモンモリロナイトやバーミキュラナイトから選ばれる吸着保持剤が配合され、更には消臭抗菌成分が基材と良好に添着されるよう、弱酸性次亜塩素酸水に対してメチルセルロース若しくはアクリルセルロースからなる塗着保持剤が０．１乃至０．３％重量で配合されたうえ、織物若しくは不織布或いは薄葉紙等からなる基材に塗着されてなる、安全で確実に消臭抗菌がなされるシート材。
【発明の効果】
【００１０】  本発明は上述の如き技術的手段を用いてなるため、以下の如き優れた効果が発揮される。
即ち消臭抗菌成分のＰＨ値が略５．８乃至６．８の弱酸性であり、且そのＰＨ値も極めて安定しているため広範囲の細菌やウイルス等への強力な抗菌作用が発揮され、且消臭性においても銀イオンと同等の消臭作用が発揮される。
そしてこの消臭抗菌成分はその濃度が２００乃至３００ｐｐｍであるから、その大半は弱酸性次亜塩素酸水であり、一般的噴霧手段でも噴霧後直ちに空中に揮散するため、限定された環境内での瞬時の消臭や抗菌しかなしえない。
【００１１】  而して本発明では極めて微粒で且吸着容量の大きなカルボキシビニルポリマーやモンモリナイト、若しくはバーミキュライトからなる吸着保持剤が弱酸性次亜塩素酸水に対して０．１乃至０．３％重量割合で配合されてなるから、消臭抗菌成分が該吸着保持剤の大きな吸着容量内に吸着され、長期に亘って消臭抗菌作用が維持される。
加えて本発明では消臭性や抗菌性を発揮する基材の形成に際して消臭抗菌成分を塗着する場合に、合成繊維織物や不織布或いは薄葉紙が用いられ、加えて塗着手段として浸漬塗着に比べて噴霧塗着では十分な塗着がなされ難いが、かかる状況に際しても弱酸性次亜塩素酸水に対して０．１乃至０．３％重量割合で、メチルセルロースやアクリルセルロースからなる塗着保持剤の配合により、良好な塗着がなされる。
【図面の簡単な説明】
【００１２】
【図１】  消臭抗菌成分の説明図である。
【図２】  不織布からなるシート基材の説明図である。
【図３】  薄葉紙からなるシート基材の説明図である。
【図４】  不織布からなるシート基材の使用例示図である。
【図５】  不織布からなる包布基材の使用例示図である。
【発明を実施するための形態】
【００１３】  以下に本発明の実施例を図１乃至図５により詳細に説明する。
【００１４】  図１は本発明における消臭性並びに抗菌性を創出せしめる弱酸性次亜塩素酸水１Ａの説明図であって、この弱酸性次亜塩素酸水１Ａは、次亜塩素酸ソーダに適宜量の塩酸を付加し、そのＰＨ値を略５．８乃至６．８程度の弱酸性次亜塩素酸ソーダーとなしたうえ、その成分が安全性を考慮して略２００乃至３００ｐｐｍとなるよう加水希釈せしめて、弱酸性次亜塩素酸水１Ａとなしている。
そして、かかる弱酸性次亜塩素酸水１Ａは水分が極めて多量であり、旧来からの臭気や病菌細菌類の消臭や抗菌に際してその汚染空間に噴霧し、短時の消臭や抗菌のためには噴霧によりなされるため弱酸性次亜塩素酸水１Ａのみでも使用がなしえた。
【００１５】    而して本発明では、体力的にも脆弱で比較的密閉性の高い室内で長時に亘って休養するものであって、仮令訪問看護や在宅介護においても、同居介護者がいる場合はともかく、外部介護者に依拠する実態上からは、短期においても略３乃至５日、長期では略１乃至２週間毎の介護となるものであるから、その無介護時の発汗や涙、唾液や失禁等に伴う臭気の充満や病菌細菌等の繁殖は膨大となり要介護者の健康や環境の悪化ばかりか、介護者の介護活動にも重大な支障を来たす結果となっている。
これがためには消臭性や抗菌性を有する弱酸性次亜塩素酸水１Ａの内、消臭性及び抗菌性を発揮する所謂消臭抗菌成分を噴霧揮散滅失させることなく、極めて微粒で大きな吸着容量を保持する吸着保持剤１Ｂが、弱酸性次亜塩素酸水１Ａに対し０．１乃至０．３％重量で混合させておく。当然にかかる吸着保持剤１Ｂは前述の如くカルボキシビニルポリマーやモンモリナイト若しくはバーミュキュライトが挙げられる。
【００１６】  更に肝要なことは、本発明では安全性と高い消臭性並びに抗菌性を以って、体が脆弱な要介護者が体養する在宅区画内において織物や不織布、薄葉紙等のシート基材２に、前記吸着保持剤１Ｂが塗着保持される必要がある。即ち換言すれば該吸着保持剤１Ｂが基材２に塗着されることで、基材２が有効に消臭性や抗菌性を発揮しえることとなる。
従ってかかる基材２でシーツを作成し、或いは基材２で包布を形成し、或いは広面積のシートを介護区画内に展張すること等で、要介護者からの直接的臭気や病菌、細菌等の消臭抗菌と、且区画内に拡散した臭気等も消臭される。
ところで吸着保持剤１Ｂを基材２に塗着せしめるうえで留意すべきは基材２の素材特性と、塗着手段とにより多少の変化が生ずるが、素材特性としてはポリエチレンやポリプロピレン等に難点はあるものの、織物や不織布或いは薄葉紙等は良好である。そして塗着手段において噴霧塗着ではやや塗着性に斑が発生し易い。この問題の解決手段として、水溶性の塗着保持剤１Ｃとしてメチルセルロースやカクリルセルロースを弱酸性次亜塩素酸水１Ａに対して、０．１乃至０．３％重量割合で混合させたものが望まれる。
【００１７】  図２は不織布からなるシート基材２Ｂの説明図であって、該不織布からなるシート基材２Ｂの不織布２Ｃとしては、成可くポリエチレンやポリプロピレンを除く細繊度繊維を不織布として形成したもので、要介護者は休養する場合通常は蒲団やベッド上であるから、使用に際してはある程度の柔らかさや厚さも必要であるから使用不織布３Ｃとしてはその目付としては略２０乃至５０ｇ／ｍ２のものが、より詳しくはその厚さにして０．０６乃至０．１１ｍｍ程度の物となる。
そしてかかる不織布２Ｃに消臭性と抗菌性を保持させるためには、消臭抗菌成分を吸着保持させる吸着保持剤１Ｂが用いられ、好ましい吸着保持剤１Ｂとしてはカルボキシビニルポリマーが挙げられ、且この吸着保持剤１Ｂは消臭抗菌成分に対して０．３重量％の混合望まれる。加えて不織布２Ｃにこの吸着保持剤１Ｂを良好に塗着させるうえから、メチルセルロースからなる塗着保持剤１Ｃも、臭抗菌成分に対し０．２重量％が混合されている。かかる如くして塗着層２Ｄが形成される。尚図中の２Ｅは不織布２Ｃの空隙を示す。
【００１８】  図３は薄葉紙からなるシート基材３Ｂの説明図であって、薄葉紙３は極めて安価なうえ吸水性や柔軟性に優れることから使用目的によっては実用使用性も極めて高いが、本発明において使用可能な薄葉紙としては家庭用薄葉紙３に分類されるもので、強度的にも優れるものとして京花紙、生理用紙、タオル用紙、化粧紙等が挙げられ、その坪量としては略１０乃至２０ｇ／ｍ２の物が望まれる。
薄葉紙からなるシート基材３Ｂに、坪量２０ｇ／ｍ２の化粧紙を用いて前記消臭抗菌成分により噴霧塗着させた場合には薄葉紙３の接着性や吸着性が作用し、形成された塗着層２Ｄの厚さは略０．０５乃至０．０６ｍｍに昇っている
【００１９】  図４は不織布からなるシート基材２Ｂを用いて裁断縫合して形成したシーツ４の使用例示図であって、所望の不織布からなるシート基材２Ｂを、通常は幅９０ｃｍ長さ１．８ｍに裁断のうえ略２乃至５層に積層し縫合４Ａさせて形成される。
【００２０】  図５は不織布からなるシート基材２Ｂを用いて形成した包布５の使用例示図であって、該包布５は家族葬の如く火葬までの間遺体を家庭内で保管したり、臭気発生或いは腐敗し易い保管物に包布せしめて安全快適な環境保持のために使用するもので、対象物の大きさに裁断して包布させれば良い。
使用する不織布からなるシート基材２Ｂとしては、せいぜい不織布２Ｃの目付として略２０乃至３０ｇ／ｍ２の軽量な物で十分に消臭抗菌効果が発揮される。
【００２１】  以下に不織布からなるシート基材２Ｂによる消臭性及び抗菌性テスト結果を銀イオン製品と対比して示せば以下表１の通りである。
この消臭性及び抗菌性に用いた不織布からなるシート基材２Ｂは、合成繊維不織布でその目付が２５ｇ／ｍ２の物に、弱酸性次亜塩素酸が２５０ｐｐｍに混合された消臭抗菌成分に、吸着保持剤１Ｂとしてカルボキシビニルポリマーが０．３重量％割合と、且塗着保持剤１Ｃとしてメチルセルロースが０．２重量％混合されたものを噴霧塗着させた物を用いた。
なお、対比製品としては不織線に銀イオンを含浸させた通称銀オムツを用いた。
【００２２】
2017172094.tif 000004
【符号の説明】
【００２３】１      消臭抗菌成分
１Ａ    弱酸性次亜塩素酸水
１Ｂ    吸着保持剤
１Ｃ    塗着保持剤
２      基材
２Ｂ    不繊布からなるシート基材
２Ｃ    不繊布
２Ｄ    塗着層
２Ｅ    空隙
３      薄葉紙
３Ｂ    薄葉紙からなるシート基材
３Ｃ    薄葉紙の皺
４      シーツ
４Ａ    縫合
５      包布
【図１】
2017172094.tif 000005
【図２】
2017172094.tif 000006
【図３】
2017172094.tif 000007
【図４】
2017172094.tif 000008
【図５】
2017172094.tif 000009